(57)【要約】【課題】誰でも簡単にまた確実にもやい結びを作成できるもやい結び作成補助具を提供する。【解決手段】経路２１にロープを沿わせもやい結びを作成するもやい結び作成補助具１であって、基台１１上に形成されたロープを沿わせる経路２１と、ロープを前記経路２１に沿わせる順を示す表示手段３１と、を備え、前記経路２１には、高低差が設けられており、前記表示手段３１に従い前記経路２１に沿ってロープを沿わせることで前記基台１１上にもやい結びを形成させる。【選択図】図１
2016170243.tif 000002
【特許請求の範囲】
【請求項１】
経路にロープを沿わせもやい結びを作成するもやい結び作成補助具であって、
基台上に形成されたロープを沿わせる経路と、
ロープを前記経路に沿わせる順を示す表示手段と、を備え、
前記経路には、高低差が設けられており、
前記表示手段に従い前記経路に沿ってロープを沿わせることで前記基台上にもやい結びを形成させることを特徴とするもやい結び作成補助具。
【請求項２】
前記経路に設けられた高低差により、前記経路に沿ってロープを沿わせるとき、ロープを持ち上げる操作が不要なことを特徴とする請求項１に記載のもやい結び作成補助具。
【請求項３】
さらに前記経路にロープを沿わせるとき、ロープが経路から外れないようにするロープ保持具を備えることを特徴とする請求項１又は２に記載のもやい結び作成補助具。
【請求項４】
前記ロープ保持具は、ヒンジ機構により開閉する片開き又は観音開きの天井面を有し、
前記天井面からロープを当該ロープ保持具内にワンタッチで出し入れ可能なことを特徴とする請求項３に記載のもやい結び作成補助具。
【発明の詳細な説明】
【技術分野】
【０００１】
本発明は、もやい結びを作成することができるもやい結び作成補助具に関する。
【背景技術】
【０００２】
鉄塔敷地、送電線の巡回路及び線下の社有地などの斜面で作業を実施する場合、斜面の上部の立ち木等に親綱を結び付けて、その親綱と安全帯とをロリップ等の接続器具により接続して墜落防止対策としている。親綱は、一般的にもやい結びにより立ち木等に結び付ける。
【０００３】
もやい結びは、最初に作った輪に対してロープの末端が下を潜ったり、上を通したりを繰り返し、引き締めることにより作成される（例えば非特許文献１参照）。もやい結びは、結び方が複雑であり、最初の輪を作る向きやロープの末端を最初に作った輪に通す方向などを覚えていないと正確なもやい結びはできず、もやい結びの結び方を作業員が確実に覚えていない場合、作業中に親綱が解けて作業員が墜落する恐れがある。
【０００４】
ロープの結び方には、もやい結び以外にも種々の結び方があり、これらの中には、もやい結びと同様に、むすび方を確実に覚えていないとうまく結べないものもある。このためロープの結び方を補助する補助具も開発されている（例えば特許文献１参照）。特許文献１に記載の補助具は、アメリカ結びを容易に実現するための補助具である。
【先行技術文献】
【特許文献】
【０００５】
【特許文献１】特開２０１３−８６８１１号公報
【非特許文献】
【０００６】
【非特許文献１】http://eco.goo.ne.jp/nature/ecocamp/mame/vol17/index.html
【発明の概要】
【発明が解決しようとする課題】
【０００７】
特許文献１に記載の補助具のようにもやい結びの作成を補助する補助具があればよいが、現時点でそのような補助具はなく、もやい結びが確実にできているかどうかは作業員の熟練度に依存しているのが現状である。もやい結びは、安全上重要な要素であるため誰でも確実にもやい結びを作成できる手段の開発が望まれている。
【０００８】
本発明の目的は、誰でも簡単にまた確実にもやい結びを作成できるもやい結び作成補助具を提供することである。
【課題を解決するための手段】
【０００９】
本発明は、経路にロープを沿わせもやい結びを作成するもやい結び作成補助具であって、基台上に形成されたロープを沿わせる経路と、ロープを前記経路に沿わせる順を示す表示手段と、を備え、前記経路には、高低差が設けられており、前記表示手段に従い前記経路に沿ってロープを沿わせることで前記基台上にもやい結びを形成させることを特徴とするもやい結び作成補助具である。
【００１０】
本発明のもやい結び作成補助具は、前記経路に設けられた高低差により、前記経路に沿ってロープを沿わせるとき、ロープを持ち上げる操作が不要なことを特徴とする。
【００１１】
また本発明のもやい結び作成補助具は、さらに前記経路にロープを沿わせるとき、ロープが経路から外れないようにするロープ保持具を備えることを特徴とする。
【００１２】
また本発明のもやい結び作成補助具において、前記ロープ保持具は、ヒンジ機構により開閉する片開き又は観音開きの天井面を有し、前記天井面からロープを当該ロープ保持具内にワンタッチで出し入れ可能なことを特徴とする。
【発明の効果】
【００１３】
本発明によれば、表示手段に従い経路に沿ってロープを沿わせることで基台上にもやい結びを形成させることができるので、誰でも簡単、確実にもやい結びを作成することができる。
【図面の簡単な説明】
【００１４】
【図１】本発明の第１実施形態のもやい結び作成補助具１の斜視図である。
【図２】本発明の第１実施形態のもやい結び作成補助具１の平面図である。
【図３】図１のＡ−Ａ切断線で切断した断面図である。
【図４】本発明の第１実施形態のもやい結び作成補助具１のロープ保持具４１ｃにロープ５１を嵌め入れる様子を示す図である。
【図５】本発明の第１実施形態のもやい結び作成補助具１にロープ５１を沿わせた状態を示す斜視図である。
【図６】本発明の第１実施形態のもやい結び作成補助具１を用いて作成されたもやい結び６１の斜視図である。
【発明を実施するための形態】
【００１５】
図１は、本発明の第１実施形態のもやい結び作成補助具１の斜視図、図２は、もやい結び作成補助具１の平面図、図３は、図１のＡ−Ａ切断線で切断した断面図である。図４は、もやい結び作成補助具１のロープ保持具４１ｃにロープ５１を嵌め入れる様子を示す図、図５は、もやい結び作成補助具１にロープ５１を沿わせた状態を示す斜視図、図６は、もやい結び作成補助具１を用いて作成されたもやい結び６１の斜視図である。
【００１６】
もやい結び作成補助具１は、もやい結びの結び方（配置）を基台１１上に実現させることでもやい結びを簡単かつ確実に作成するものであって、もやい結びの結び方（配置）を基台１１上に実現させるべく、基台１１上にロープ５１を沿わせる経路２１及び、前記経路２１内又は経路２１の傍にロープ５１を沿わせる順を示す表示手段３１が設けられている。
【００１７】
基台１１は、厚さが比較的薄い持ち運びが容易な直方体の形態からなる。基台１１の大きさは、ロープ５１を沿わせる経路２１を形成することができればよく、現場への携行を考えれば不必要に大きくすべきではない。基台１１の材質もロープ５１を沿わせる経路２１を作成することができ、ロープ５１を経路２１に沿わせたとき変形、破損しない強度があればよく、持ち運びを考えると軽量のものが好ましい。
【００１８】
経路２１は、もやい結びを作成する際のロープ５１の配置を基台１１上に立体的に配置可能としたものであり、経路２１に所定の要領でロープ５１を沿わせることでもやい結びの結び方（配置）を基台１１上に実現可能に形成されている。経路２１は、基本的に基台１１に凹凸を設け形成された溝２３からなる。溝２３の形成要領は特に問われない。例えば金型に樹脂を流し込み経路２１と基台１１とを一体的に形成してもよい。あるいは基板の各所に高さの異なる部材を配置することで経路２１となる溝２３を形成してもよい。
【００１９】
経路（溝）２１の大きさは、もやい結びを作成可能にロープ５１を配置することができればよく、使用するロープ５１の直径、ロープ５１の硬さにより適宜決定すればよい。経路２１には計３か所の半円部２５ａ、２５ｂ、２５ｃがあるが、ロープ５１の直径が大きく及び／又はロープ５１が硬い場合は、曲がり難いので半円部２５ａ、２５ｂ、２５ｃを大きくする必要がある点を考慮して経路（溝）２１の大きさを決定する必要がある。
【００２０】
またもやい結び作成補助具１の経路２１は、立体的に形成されており、全ての経路２１が同じ高さではなく高低差が設けられている。図３に示すように経路２１の高低差は３段階で構成されており、基台の底部１３、基台の中間部１５及び基台の表面（上面）部１７に経路２１が設けられており、底部１３が一番低く、表面（上面）部１７が一番高い。
【００２１】
もやい結びを作成する際には、ロープ５１を先に作った輪の下を潜らせ、又は先に作った輪と輪との間をロープ５１を通す必要がある。このためもやい結び作成補助具１を使用することなくもやい結びを作成する場合、先に作成したロープ５１の輪を持ち上げる操作等が必要となるが、もやい結び作成補助具１では、ロープ５１の輪を持ち上げる操作等を不要とすべく経路２１に段差を設けている。
【００２２】
このため基台の底部１３と基台の中間部１５、基台の中間部１５と基台の表面（上面）部１７との間隔は、ロープ５１の直径以上の距離が必要であり、操作性を考えればロープの直径の１．５倍程度が妥当である。この部分の間隔を大きくするとロープ５１を通すことは容易となるが、基台１１自体が大きくなるので可搬性を考えると不必要に大きくすべきではない。
【００２３】
また経路（溝）２１のうち基台の上面１７と基台の底部１３とが直接につながる経路２１には、円弧状のスロープ２７ａ、２７ｂ、２７ｃが設けられている。スロープ２７ａ、２７ｂ、２７ｃを設けることで、経路２１が基台の上面１７から直接基台の底部１３に繋がる場合であってもロープ５１を経路２１にスムーズに沿わせることができる。
【００２４】
またロープ保持具４１ｂと半円部２５ｂとを結ぶ経路２１には、ロープ５１がずれないようにするためのガイドプレート２９が設けられ、このガイドプレート２９と壁面とで溝２３が形成されている。
【００２５】
表示手段３１は、ロープ５１を経路２１に沿わせる順番及びその要領を示すものであり、番号、文字（説明文）及び矢印で構成されている。表示手段３１は、経路２１内又は経路２１の傍に配置されており、本実施形態では右手側と左手側とを分けて表示している。
【００２６】
表示手段３１のうち右手側は、番号、説明文及び矢印で構成され、番号は丸付き数字１〜７である（図２参照）。図面においては、丸付き数字で表示されているが、本明細書では、以下、丸付き数字１〜７を＜１＞〜＜７＞と記す。番号は、ロープ５１を沿わせる順番を示し、矢印は、ロープ５１を沿わせる方向を示す。説明文は、ロープを経路２１に沿わせるときの要領、ポイントを示す。例えば、＜５＞では「下へ」と記載されているため、ロープ保持具４１ｄを通過したロープ５１を下ろし、半円部２５ａに沿わせればよいことが分かる。
【００２７】
表示手段３１のうち左手側も右手側と同じ要領で構成され、番号は黒丸付き数字１〜４である（図２参照）。図面においては、番号を白抜きで表示し、右手側と区別している。本明細書では、以下、黒丸付き数字１〜４を〔１〕〜〔４〕と記す。なお、右手側と左手側との区分は、例えば右手側を青色、左手側を赤色で記すなど、色分けにより簡単に行える。
【００２８】
表示手段３１は、番号、文字（説明文）及び矢印よりなるので、印刷物を基台１１に貼付すればよい。なお、表示方法はこれに限定されるものではなく、他の方法、要領であってもよい。
【００２９】
さらに本実施形態のもやい結び作成補助具１では、基台の表面（上面）１７の経路２１等にロープ５１を沿わす（配置する）際に、ロープ５１がずれないようにするためのロープ保持具が経路２１上に設けられている。
【００３０】
ロープ保持具は、２種類のロープ保持具からなり、第１のロープ保持具４１（４１ａ、４１ｂ、４１ｃ、４１ｄ）は、基台の表面（上面）１７に突出するように設けられ、第２のロープ保持具４２は、基台の表面１７を塞ぐように設けられている。
【００３１】
ロープ保持具４１は、２つの転倒Ｌ字状の板材４５で形成された門型をなし、側板４７の底部が基台１１に固定されている。天井面４３を構成する２つの上板は、僅かな隙間を有した状態で対向しており、側板４７との連結点を起点に回動可能に構成されている。このため天井面４３の上方からロープ５１を差し入れると、天井面４３が回動し、ロープ５１は、側板４７と天井面４３とで囲まれた空間部に入り込む（図４参照）。
【００３２】
これにより経路２１にロープ５１を沿わせてもロープ５１が経路２１から外れることはない。ロープ保持具４１に保持されたロープ５１は、上方に少し強い力で引っ張れば天井面４３が回動し、簡単に取外すことができる。以上のようにロープ保持具４１に対して、ロープ５１をワンタッチで出し入れすることができるので、使い勝手が非常によい。
【００３３】
ロープ保持具４２は、基台の中間部（中間高さ）１５に配置されるロープ５１が溝２３から外れることを防止する役目を果たす。ロープ保持具４２は、２枚の板材４６からなり、僅かな隙間を有し対向した状態で基台の表面１７に、溝２３を塞ぐように取付けられている。ロープ保持具４２もロープ保持具４１の天井面４３と同様に、基台１１との連結点を起点に上下に回動することができる。このため上方からロープ５１を差し入れると、板材４６が回動し、ロープ５１は、溝２３に入り込む。これにより経路２１にロープ５１を沿わせてもロープ５１が経路２１から外れることはない。
【００３４】
ロープ５１は、上方に少し強い力で引っ張れば２つの板材４６が回動し、ロープ保持具４２から簡単に取外すことができる。以上のようにロープ保持具４２に対して、ロープ５１をワンタッチで出し入れすることができるので、使い勝手が非常によい。
【００３５】
ロープ保持具４１、４２は、共に可撓性を有する合成樹脂材で形成されている。但し、上記機能を発揮することができるのであれば、材質、構造は他でもよい。
【００３６】
ロープ保持具４１、４２は、経路２１上の全ての箇所に設置する必要はなく、ロープ５１が経路２１から外れ易い箇所に設置すればよい。またロープ５１が経路２１から外れ易い箇所であっても、必ずしもその箇所全体にロープ保持具４１、４２を設置する必要はなく、間隔を空けて何カ所かに設置してもよい。
【００３７】
次に、もやい結び作成補助具１の使用方法を説明する。ここではポール７１にもやい結び６１をする例を示す。ポール７１の傍にもやい結び作成補助具１を配置する。このときもやい結び作成補助具１に表示されている右手側の＜１＞始点の反対側がポール７１側に位置するようにする。
【００３８】
もやい結び作成補助具１の表示に従って、右手側から経路２１にロープ５１を沿わせ、表示＜７＞からロープ５１を外に取出し、ポール７１の外を廻す。ポール７１の外を廻したロープ５１を再度、もやい結び作成補助具１の左手側の経路２１に沿わせる。このときも表示に従い〔１〕から〔４〕の順にロープ５１を沿わせる。ロープ５１の端５３が左手側の〔４〕から外に取出されると、ロープ５１を束ねて左手で固定し、右手側ロープの始点位置５５を右手に持ち互いを引っ張る。これによりポール７１にもやい結びをすることができる。なお、ロープ５１を両手で互いに引っ張る際には、ロープ５１をもやい結び作成補助具１から取外した状態で行ってもよい。
【００３９】
上記第１実施形態で示すように本発明に係るもやい結び作成補助具１は、経路２１が基本的に溝２３で形成されているので、ロープ５１を簡単に経路２１に沿わせることができる。また経路２１に高低差が設けられているので、ロープ５１を基台の中間部の経路２１（溝２３）に沿わせる際に、先に作成した輪を持ち上げる等の操作が不要である。さらに経路２１内又は経路２１の傍には、ロープ５１を沿わせる順番及び要領が表示されているので、誰でも簡単、かつ確実にもやい結びを作成することができる。また本技術に係るもやい結び作成補助具１は、小型、軽量であるので現地への携行も容易である。
【００４０】
なお、本発明に係るもやい結び作成補助具は、上記実施形態に限定されるものではなく、要旨を変更しない範囲で変更して使用することができる。上記実施形態では、ロープ５１が経路２１から外れることを防止するロープ保持具４１、４２は、観音開きの天井面を備えるが、ロープ５１の出し入れが容易であれば天井面は片開きであってもよい。本発明に係るもやい結び作成補助具において、ロープ保持具４１、４２を設ければ使い勝手が増し好ましいが、ロープ保持具を備えないもやい結び作成補助具であっても、簡単かつ確実にもやい結びを作成することができるので、ロープ保持具４１、４２は、設けなくてもよい。
【００４１】
また表示手段の説明文も上記実施形態の説明文に限定されるものではなく、より具体的に記載してもよい。例えば、表示＜７＞からロープ５１を外に取出し、ポール７１の外を廻し、ポール７１の外を廻したロープ５１を再度、もやい結び作成補助具１の左手側の経路２１に沿わせる等の手順をより分かり易く記載する。さらに完成した状態を写真撮影し、これを基台１１の表面１７に貼付してことで理解が容易になる。
【符号の説明】
【００４２】
１  もやい結び作成補助具
１１  基台
１３  底部
１５  中間部
１７  表面（上部）
２１  経路
２３  溝
２５ａ、２５ｂ、２５ｃ  半円部  
２７ａ、２７ｂ、２７ｃ  スロープ
２９  ガイドプレート
３１  表示手段
４１、４１ａ、４１ｂ、４１ｃ、４１ｄ  ロープ保持具
４２  ロープ保持具
４３  天井面
４５  板材
４６  板材
４７  側板
５１  ロープ
５３  ロープの端
５５  右手側ロープの始点位置
６１  もやい結び
７１  ポール
【図１】
2016170243.tif 000003
【図２】
2016170243.tif 000004
【図３】
2016170243.tif 000005
【図４】
2016170243.tif 000006
【図５】
2016170243.tif 000007
【図６】
2016170243.tif 000008